(57)【要約】【課題】スピーカから放音される音声の音質の低下を抑えて、装置本体の小型化を図るとともに、十分なコストダウンを図ることができるスピーカ装置を提供する。【解決手段】スピーカ装置１は、スピーカ２、および制御基板６をエンクロージャー１０内の同一空間に収納している。制御基板６は、エンクロージャー１０の背面パネル側に位置する端部に、電源ライン接続用コネクタ４、および音声信号ライン接続用コネクタ５を取り付けている。電源ライン接続用コネクタ４、および音声信号ライン接続用コネクタ５は、接続面側が制御基板６の外側に突出している。電源ライン接続用コネクタ４、および音声信号ライン接続用コネクタ５がエンクロージャー１０の背面パネルに形成している孔に対向している。さらに、弾性部材８が電源ライン接続用コネクタ４、および音声信号ライン接続用コネクタ５と、背面パネルの孔との隙間を塞いでいる。【選択図】図２
2013081115.tif 000002
【特許請求の範囲】
【請求項１】
音声を放音するスピーカと、
前記スピーカの駆動を制御する制御基板と、
前記スピーカ、および前記制御基板を同一空間に収納するエンクロージャーと、を備え、
前記エンクロージャーは、前記制御基板を収納位置に取り付けたときに、この制御基板に設けている外部接続用コネクタを外部に露出させる開口部を形成し、
さらに、前記エンクロージャーの前記スピーカ、および前記制御基板を収納する側に、前記外部接続用コネクタと、前記開口部との隙間を塞ぐ弾性部材を備える、スピーカ装置。
【請求項２】
前記弾性部材は、前記外部接続用コネクタを嵌挿する前記貫通口を有し、前記スピーカ、および前記制御基板を収納している空間に位置する、請求項１に記載のスピーカ装置。
【請求項３】
前記弾性部材は、前記外部接続用コネクタを嵌挿する前記貫通口を複数形成している、請求項２に記載のスピーカ装置。
【請求項４】
前記制御基板は、前記外部接続用コネクタを基板表面端部に立設する壁面部材に取り付けている、請求項２、または３に記載のスピーカ装置。
【請求項５】
前記エンクロージャーは、前記制御基板に設けている前記外部接続用コネクタを外部に露出させる開口部周辺に、前記弾性部材の周囲を囲むリブを形成している、請求項２〜４のいずれかに記載のスピーカ装置。
【発明の詳細な説明】
【技術分野】
【０００１】
この発明は、接続されている外部機器から入力された音声信号に応じた音声を放音するスピーカ装置に関する。
【背景技術】
【０００２】
従来のスピーカ装置は、スピーカを収納する空間と、このスピーカの駆動を制御する制御基板を収納する空間と、をわけていた（特許文献１〜４等参照）。
【０００３】
また、特許文献１等に記載されているように、スピーカに接続したリード線は、このスピーカを収納した空間から外部に引き出されている。このリード線は、スピーカとは別の空間に収納している制御基板に接続される。
【０００４】
また、制御基板には、電源ラインや音声信号ライン等を接続するコネクタが設けられている。制御基板は、コネクタに接続されている電源ラインによって供給される動作電源によって動作し、接続されている音声信号ラインによって入力される音声信号に応じて、スピーカを駆動する。
【先行技術文献】
【特許文献】
【０００５】
【特許文献１】実開平６−３８３９３号公報
【特許文献２】特開平７−２９８１６８号公報
【特許文献３】特開２００５−２０３８９６号公報
【特許文献４】特開２００６−５０１６７号公報
【発明の概要】
【発明が解決しようとする課題】
【０００６】
しかしながら、従来のスピーカ装置は、間仕切り部材を用いて、スピーカを収納する空間と、制御基板を収納する空間と、を間仕切りしている。このため、間仕切り部材を取り付けるスペースが必要になるだけでなく、両空間において、無駄な空き空間が生じるので、このことが装置本体の小型化を妨げていた。
【０００７】
また、従来のスピーカ装置は、間仕切り部材が必要であるので、部品点数が多く、これにともなって組み立てにかかる工数も多い。このことが、スピーカ装置本体の十分なコストダウンを妨げていた。
【０００８】
この発明の目的は、スピーカから放音される音声の音質の低下を抑えて、装置本体の小型化を図るとともに、十分なコストダウンを図ることができるスピーカ装置を提供することにある。
【課題を解決するための手段】
【０００９】
この発明のスピーカ装置は、上記課題を解決し、その目的を達するために、以下のように構成している。
【００１０】
このスピーカ装置では、エンクロージャーが、音声を放音するスピーカと、このスピーカの駆動を制御する制御基板と、を同一空間に収納している。制御基板は、外部接続用コネクタを設けている。この外部接続用コネクタは、電源ラインや音声信号ライン等を接続するコネクタである。また、エンクロージャーは、制御基板を収納位置に取り付けたときに、この制御基板に設けている外部接続用コネクタを外部に露出させる開口部を形成している。さらに、エンクロージャーのスピーカ、および制御基板を収納する側に、外部接続用コネクタと、開口部との隙間を塞ぐ弾性部材を備えている。弾性部材は、例えばシリコンゴムである。
【００１１】
したがって、制御基板を収納しているエンクロージャーの外部から、この制御基板に対する電源ラインや音声信号ライン等の接続が簡単に行える。また、エンクロージャーは、スピーカ、および制御基板を同一空間に収納する構成であるので、従来、スピーカを収納する空間と、制御基板を収納する空間と、を間仕切りに用いていた間仕切り部材を必要としない。これにより、スピーカ装置本体の小型化、およびコストダウンが図れる。また、弾性部材が、外部接続用コネクタと開口部との隙間を塞ぎ、この隙間における、外部への空気漏れを抑える。
【００１２】
例えば、弾性部材は、外部接続用コネクタを嵌挿する貫通口を有する構成にする。そして、この弾性部材は、スピーカ、および制御基板を収納している空間に配置し、外部接続用コネクタを弾性部材の貫通口に嵌挿し、さらにエンクロージャーに形成している開口部から外部に露出させればよい。
【００１３】
また、制御基板を、外部接続用コネクタを基板表面端部に立設する壁面部材に取り付けた構成にしてもよい。この場合、弾性部材は、壁面部材と、前記開口部を形成しているエンクロージャーの周面と、によって挟持されるので、外部への空気漏れが一層抑えられる。
【００１４】
このようにして、外部接続用コネクタと開口部との隙間における、外部への空気漏れを抑えることにより、スピーカから放音される音声の音質が低下するのを抑えられる。
【００１５】
弾性部材は、外部接続用コネクタを嵌挿する貫通口を複数形成してもよい。このように構成すれば、電源ラインや音声信号ライン等、接続ライン毎に外部接続用コネクタを設けた構成であっても、複数の外部接続用コネクタについて、対応する開口部との隙間を１つの弾性部材で塞ぐことができる。また、弾性部材は、複数の外部接続用コネクタが嵌挿された状態で保持されるので、によって、いずれかの外部接続用コネクタを軸に回転することがなく、位置ズレが抑えられる。
【発明の効果】
【００１６】
この発明によれば、制御基板を収納しているエンクロージャーの外部から、この制御基板に対する電源ラインや音声信号ライン等の接続が簡単に行える。また、スピーカから放音される音声の音質の低下を抑え、スピーカ装置本体の小型化、およびコストダウンが図れる。
【図面の簡単な説明】
【００１７】
【図１】スピーカ装置の正面図、および背面図である。
【図２】スピーカ装置の内部構造を示す概略図である。
【図３】スピーカ装置の内部構造を示す概略図である。
【図４】制御基板に取り付けたアングルにおける電源ライン接続用コネクタ、および音声信号ライン接続用コネクタの取り付け状態を示す概略図である。
【図５】弾性部材を示す概略図である。
【図６】別の例にかかる弾性部材を示す概略図である。
【図７】別の例にかかるスピーカ装置の正面図、および背面図である。
【図８】別の例にかかるスピーカ装置の内部構造を示す概略図である。
【図９】別の例にかかるスピーカ装置の内部構造を示す概略図である。
【発明を実施するための形態】
【００１８】
以下、この発明の実施形態であるスピーカ装置について説明する。
【００１９】
図１は、この実施形態にかかるスピーカ装置の正面図、および背面図である。図１（Ａ）が正面図であり、図１（Ｂ）が背面図である。このスピーカ装置１は、エンクロージャー１０（筐体）が直方体形状である。
【００２０】
スピーカ装置１は、図１（Ａ）に示すように、エンクロージャー１０の前面パネル１１側にスピーカ２を取り付けている。エンクロージャー１０の前面パネル１１は、スピーカ２の放音面が対向する位置に開口部を形成している。この開口部には、編み目状に組んだネット部材や、複数の孔を形成した板部材が取り付けられている。このネット部材や、板部材は、樹脂加工部品であってもよいし、金属加工部品であってもよい。また、エンクロージャー１０の前面パネル１１には、音量を調整するダイヤル式の操作ツマミ３が取り付けられている。この操作ツマミ３は、後述する制御基板に電気的に接続している。
【００２１】
また、スピーカ装置１は、図１（Ｂ）に示すように、エンクロージャー１０の背面パネル１２側に電源ラインを接続する電源ライン接続用コネクタ４や、音声信号ラインを接続する音声信号ライン接続用コネクタ５を露出させている。エンクロージャー１０の背面パネル１２は、電源ライン接続用コネクタ４、および音声信号ライン接続用コネクタ５が対向する位置に孔（この発明で言う開口部）を形成し、この孔を通して電源ライン接続用コネクタ４、および音声信号ライン接続用コネクタ５を露出させている。電源ライン接続用コネクタ４や、音声信号ライン接続用コネクタ５は、後述する制御基板に取り付けている。電源ライン接続用コネクタ４や、音声信号ライン接続用コネクタ５が、この発明で言う外部接続用コネクタに相当する。
【００２２】
図２は、スピーカ装置の内部構造を示す概略図である。図２（Ａ）が側面図であり、図２（Ｂ）が上面図である。また、図３は、図２（Ａ）において破線で囲んだ部分の拡大図である。図２では、左側がスピーカ装置１の正面側（前面パネル１１側）である。このスピーカ装置１は、図２に示すように、スピーカ２、および制御基板６をエンクロージャー１０に収納している。エンクロージャー１０は、スピーカ２、および制御基板６を同一空間に収納している。すなわち、エンクロージャー１０は、スピーカ２を収納する空間と、制御基板６を収納する空間とを、仕切り板等の間仕切り部材で間仕切りしていない構成である。
【００２３】
制御基板６は、エンクロージャー１０内に設けたシャーシに取り付け、固定している。制御基板６は、エンクロージャー１０の背面パネル１２側に位置する端部にＬ字型のアングル６ａを取り付けている。このアングル６ａには、電源ライン接続用コネクタ４、および音声信号ライン接続用コネクタ５を取り付けている。電源ライン接続用コネクタ４、および音声信号ライン接続用コネクタ５は、図４に示すように、接続面側がアングル６ａの外側（制御基板６の外側）に突出している。このアングル６ａが、この発明で言う壁面部材に相当する。
【００２４】
スペーサ７は、エンクロージャー１０内のシャーシに取り付ける制御基板６の高さを調整する部材である。具体的には、このスペーサ７を用いて、制御基板６のアングル６ａに取り付けている電源ライン接続用コネクタ４、および音声信号ライン接続用コネクタ５がエンクロージャー１０の背面パネルに形成している孔に対向する位置に合わせている。
【００２５】
なお、特に図示していないが、制御基板６は、抵抗、コンデンサ、ＤＳＰ等、電源回路や制御回路を構成する回路素子を実装している。また、前面パネル１１に取り付けているスピーカ２、および操作ツマミ３は、エンクロージャー１０内で制御基板６に電気的に接続している。また、電源ライン接続用コネクタ４、および音声信号ライン接続用コネクタ５も制御基板６に電気的に接続している。
【００２６】
さらに、アングル６ａと、エンクロージャー１０の背面パネル１２との間に弾性部材８を設けている。この弾性部材８は、例えば硬度が４０度のシリコンゴムである。この弾性部材８は、外部に露出させた電源ライン接続用コネクタ４や音声信号ライン接続用コネクタ５と、これらのコネクタに対応するエンクロージャー１０の背面パネル１２の孔と、の間にできる隙間を塞ぎ、エンクロージャー１０内を密閉するための密閉用ラバーとして機能する。
【００２７】
図５は、弾性部材を示す概略図である。弾性部材８は、図５に示すように、その形状が板状であり、電源ライン接続用コネクタ４および音声信号ライン接続用コネクタ５のそれぞれについて、その外形よりも少し小さい貫通口８ａ、８ｂを形成している。したがって、電源ライン接続用コネクタ４および音声信号ライン接続用コネクタ５は、貫通口８ａ、８ｂに嵌挿すると、その外周面が貫通口８ａ、８ｂの周面に密着する。
【００２８】
また、この弾性部材８の厚みは、エンクロージャー１０内に固定した制御基板６に取り付けているアングル６ａと、エンクロージャー１０の背面パネルとの隙間よりも少し大きい。上述したように、弾性部材８は、アングル６ａと背面パネルとの間に配置する。したがって、弾性部材８は、アングル６ａと背面パネルとによって、両側から面で押圧され挟持される。
【００２９】
また、エンクロージャー１０の背面パネル１２は、弾性部材８を保持するリブ１２ａを形成している。リブ１２ａは、弾性部材８の上端部が当接する位置、および下端部が当接する位置にそれぞれ形成しており、弾性部材８が上下方向に移動するのを規制する。
【００３０】
なお、リブ１２ａは、弾性部材８の移動を規制する位置に配置していればよく、弾性部材８の上端部が当接する位置、または下端部が当接する位置の一方のみでもよく、また、弾性部材８の周囲を囲むように形成してあってもよい。
【００３１】
また、弾性部材８は、上述したように、電源ライン接続用コネクタ４および音声信号ライン接続用コネクタ５の２つのコネクタを嵌挿しているので、これらのコネクタの嵌挿方向を軸とした回転も規制される。
【００３２】
このスピーカ装置１は、電源ライン接続用コネクタ４に接続された電源ラインが供給する電源によって、スピーカ２や制御基板６を駆動するための電力を得る。また、制御基板６は、音声信号ライン接続用コネクタ５に接続された音声信号ラインで入力されている音声信号に基づきスピーカ２の駆動を制御し、入力されている音声信号に応じた音声をスピーカ２から放音する。
【００３３】
スピーカ装置１は、上述したように、スピーカ２、および制御基板６をエンクロージャー１０の同一空間に収納する構成であるので、エンクロージャー１０内の空間が効率的に利用でき、スピーカ装置１本体の小型化が図れる。また、従来のようにスピーカ２を収納する空間と、制御基板６を収納する空間との間仕切りに用いていた間仕切り部材を必要としない。したがって、スピーカ装置１本体の部品点数を減少させることができ、また、これにともないスピーカ装置１本体の組み立て工数も減少できる。したがって、スピーカ装置１本体の十分なコストダウンが図れる。
【００３４】
また、電源ライン接続用コネクタ４および音声信号ライン接続用コネクタ５は、エンクロージャー１０の背面パネル１２に露出しているので、電源ラインの接続や音声信号ラインの接続が簡単に行えるので、操作性を低下させることもない。
【００３５】
また、弾性部材８が、外部に露出させた電源ライン接続用コネクタ４や音声信号ライン接続用コネクタ５と、これらのコネクタに対応するエンクロージャー１０の背面パネル１２の孔と、の間にできる隙間を塞いでいる。したがって、スピーカ２、および制御基板６を収納している空間からの、外部への空気漏れが抑えられるので、スピーカ２から放音される音声の音質の低下が抑えられる。
【００３６】
なお、上記例のスピーカ装置１は、電源ライン接続用コネクタ４、および音声信号ライン接続用コネクタ５に対して、１つの弾性部材８を設ける構成としたが、弾性部材８を個別に設ける構成にしてもよい。また、電源ライン接続用コネクタ４、および音声信号ライン接続用コネクタ５は、エンクロージャー１０の背面パネル１２に限らず、前面パネル１１や、側面パネル等、他の場所に露出させる構成であってもよい。また、露出させるコネクタも、上述の２つ（電源ライン接続用コネクタ４、および音声信号ライン接続用コネクタ５）に限らず、１つであってもよいし、ＵＳＢコネクタ等を含めた３つ以上であってもよい。
【００３７】
また、弾性部材８は、図６に示すように、アングル６ａの周囲を囲む縁部を有する形状にしてもよい。図６（Ａ）は、この例にかかる弾性部材を示す概略の斜視図であり、図６（Ｂ）は、この例にかかる弾性部材の取り付け状態を示す概略図である。
【００３８】
また、スピーカ装置１は、上述の直方体形状に限らず、図７に示すような８角錐台形状であってもよい。また、スピーカ装置１が備えるスピーカ２も１つに限らず、複数であってもよい。
【００３９】
さらに、上記の例では、外部接続用コネクタである電源ライン接続用コネクタ４、および音声信号ライン接続用コネクタ５は、アングル６ａに取り付けているとしたが、図８、や図９に示すように制御基板６に実装した構成であってもよい。図８（Ａ）、および図９（Ａ）は、エンクロージャー１０内における制御基板６の収納状態を示す図である。また、図８（Ａ）、および図９（Ａ）は、背面パネル１２（リブ１２ａ）や弾性部材８等の配置を示す分解図である。
【００４０】
図８、および図９では、外部接続用コネクタとして、上述の電源ライン接続用コネクタ４、および音声信号ライン接続用コネクタ５に加えてファームウェアのアップデートに用いるファームアップデート用コネクタ２０を示している。また、図８は、これらの外部接続用コネクタに対する弾性部材８が１つである。一方、図９は、電源ライン接続用コネクタ４、およびファームアップデート用コネクタ２０に対する弾性部材８と、音声信号ライン接続用コネクタ５に対する弾性部材８と、をわけた構成である。また、図８、および図９中で示す８ｃは、弾性部材８に設けた、ファームアップデート用コネクタ２０を嵌挿する貫通口である。
【符号の説明】
【００４１】
１…スピーカ装置、２…スピーカ、３…操作ツマミ、４…電源ライン接続用コネクタ、５…音声信号ライン接続用コネクタ、６…制御基板、６ａ…アングル、７…スペーサ、８…弾性部材、８ａ、８ｂ、８ｃ…貫通口、１０…エンクロージャー、１１…前面パネル、１２…背面パネル、１２ａ…リブ、２０…ファームアップデート用コネクタ
【図１】
2013081115.tif 000003
【図２】
2013081115.tif 000004
【図３】
2013081115.tif 000005
【図４】
2013081115.tif 000006
【図５】
2013081115.tif 000007
【図６】
2013081115.tif 000008
【図７】
2013081115.tif 000009
【図８】
2013081115.tif 000010
【図９】
2013081115.tif 000011